(57)【要約】【課題】発電セル内の電極反応を均一化し温度分布の差を小さくする。【解決手段】セパレータ８の燃料ガス吐出孔１２を、セパレータの中心Ｏを回避した位置で、且つ、該中心Ｏを取り囲む周囲の位置に、周方向に分散して複数設ける。ガス吐出孔１２は、セパレータの中心Ｏからセパレータの外周縁までの距離の１／３以内の範囲に設ける。【選択図】図２
2009245626.tif 000002
【特許請求の範囲】
【請求項１】
固体電解質層の両面に燃料極層と酸化剤極層の２つの電極層を配置して発電セルを構成し、前記燃料極層と酸化剤極層の外側にそれぞれ燃料極集電体と酸化剤極集電体を配置し、当該燃料極集電体と酸化剤極集電体の外側にセパレータを配置し、当該セパレータから前記燃料極集電体および酸化剤極集電体を介して前記燃料極層および酸化剤極層に燃料ガスおよび酸化剤ガスを供給する平板型の固体酸化物形燃料電池において、
前記セパレータの前記燃料極層および前記酸化剤極層に対向する各面に開口されて、前記燃料極層および酸化剤極層に対してそれぞれ燃料ガスおよび酸化剤ガスを吐出するための燃料ガス吐出孔および酸化剤ガス吐出孔のうち、少なくとも燃料ガス吐出孔が、当該セパレータの燃料極層に対向する面の中心を回避した位置で、且つ、該中心を取り囲む周囲の位置に、周方向に分散して複数設けられていることを特徴とする平板型の固体酸化物形燃料電池。
【請求項２】
前記酸化剤ガス吐出孔が、当該セパレータの酸化剤極層に対向する面の中心を回避した位置で、且つ、該中心を取り囲む周囲の位置に、周方向に分散して複数設けられていることを特徴とする請求項１に記載の平板型の固体酸化物形燃料電池。
【請求項３】
前記ガス吐出孔が、前記セパレータの電極層に対向する面の中心からセパレータの外周縁までの距離の１／３以内の範囲に設けられていることを特徴とする請求項１または２に記載の平板型の固体酸化物形燃料電池。
【請求項４】
前記セパレータの外形が円形である場合に、前記複数のガス吐出孔が、前記セパレータの電極層に対向する面の中心を中心とする同一円周上に周方向に略等間隔に配置されていることを特徴とする請求項３に記載の平板型の固体酸化物形燃料電池。
【請求項５】
前記セパレータの外形が円形である場合に、前記複数のガス吐出孔が、前記セパレータの電極層に対向する面の中心を中心とする複数の同心円周上にそれぞれ周方向に略等間隔に配置され、隣接する同心円周上のガス吐出孔が、周方向に略同一間隔をおいて交互に配列されていることを特徴とする請求項３に記載の平板型の固体酸化物形燃料電池。
【請求項６】
前記セパレータの外形が多角形である場合に、前記複数のガス吐出孔が、前記セパレータの電極層に対向する面の中心を図形の中心とする前記外形と略相似の同一多角形の周上に、周方向に略等間隔に配置されていることを特徴とする請求項３に記載の平板型の固体酸化物形燃料電池。
【請求項７】
各電極層の外側に配した集電体に接して電極層にガス供給用のガス通路を形成する固体酸化物形燃料電池用セパレータであって、
前記電極層に対向する面に開口されて、導入されたガスを電極層へ向けて吐出するためのガス吐出孔が、前記電極層に対向する面の中心を回避した位置で、且つ、該中心を取り囲む周囲の位置に、周方向に分散して複数設けられていることを特徴とする固体酸化物形燃料電池用セパレータ。 
【請求項８】
前記ガス吐出孔が、前記電極層に対向する面の中心から外周縁までの距離の１／３以内の範囲に設けられていることを特徴とする請求項７に記載の固体酸化物形燃料電池用セパレータ。
【請求項９】
外形が円形をなしており、前記複数のガス吐出孔が、前記電極層に対向する面の中心を中心とする同一円周上に周方向に略等間隔に配置されていることを特徴とする請求項８に記載の固体酸化物形燃料電池用セパレータ。
【請求項１０】
外形が円形である場合に、前記複数のガス吐出孔が、前記電極層に対向する面の中心を中心とする複数の同心円周上にそれぞれ周方向に略等間隔に配置され、隣接する同心円周上のガス吐出孔が、周方向に略同一間隔をおいて交互に配列されていることを特徴とする請求項８に記載の固体酸化物形燃料電池用セパレータ。
【請求項１１】
外形が多角形である場合に、前記複数のガス吐出孔が、前記電極層に対向する面の中心を図形の中心とする前記外形と略相似の同一多角形の周上に、周方向に略等間隔に配置されていることを特徴とする請求項８に記載の固体酸化物形燃料電池用セパレータ。
【発明の詳細な説明】
【技術分野】
【０００１】
本発明は、固体酸化物形燃料電池に関し、詳しくは、導入ガスを集電体内の全域に亘って供給することにより電極反応のアンバランスを無くし、発電効率の向上を図った平板型の固体酸化物形燃料電池におけるセパレータの構造に関するものである。 
【背景技術】
【０００２】
酸化物イオン伝導体からなる固体電解質層を空気極層（酸化剤極層）と燃料極層との間に挟んだ積層構造を持つ固体酸化物形燃料電池では、空気極側に酸素（空気）が、また、燃料極側に燃料ガス（Ｈ2、ＣＯ等）が供給される。空気極層と燃料極層は、ガスが固体電解質との界面に到達することができるように、いずれも多孔質の層とされている。
【０００３】
固体電解質層と空気極層と燃料極層からなる発電セル内において、空気極層側に供給された酸素は、空気極層内の気孔を通って固体電解質層との界面近傍に到達し、この部分で空気極層から電子を受け取って酸化物イオン（Ｏ2-）にイオン化される。この酸化物イオンは、燃料極層に向かって固体電解質層内を拡散移動する。燃料極層との界面近傍に到達した酸化物イオンは、この部分で、燃料ガスと反応して反応生成物（Ｈ2Ｏ、ＣＯ2等）を生じ、燃料極層に電子を放出する。電極反応で生じた電子は、別ルートの外部負荷にて起電力として取り出すことができる。 
【０００４】
平板型の固体酸化物形燃料電池は、これら発電セルとセパレータを集電体を介して交互に多数積層してスタック化すると共に、その両端より積層方向に荷重を掛けてスタックの各構成要素を相互に圧接・密着させることにより構成される。また、セパレータは、発電セル間を電気的に接続すると同時に、発電セルに対して反応用ガスを供給する機能を有し、その内部に、燃料ガスを燃料極層側に誘導する燃料ガス通路と、酸化剤ガスを空気極層側に誘導する酸化剤ガス通路とを備えると共に、発電セルと対向する面に、燃料ガスや酸化剤ガスを吹き出すガス吐出孔を備える。
【０００５】
以下に、従来のセパレータの構造について説明する。
図７は、一般的によく利用されている構成のセパレータ１１８と集電体１１６と発電セル１１５の積層構造を示し、特に燃料ガス供給側の構造例を示している。セパレータ１１８は、厚さ数ｍｍのステンレス製板材よりなり、板材の内部には、上述した燃料ガスを発電セル１１５に向けて供給するための燃料ガス通路１１０が形成されている。そして、セパレータ１１８の燃料極集電体１１６に接触する表面にガス吐出孔１１２が設けられ、その表面を覆うように、円形の発電セル１１５が集電体１１６を介して配設されている。
【０００６】
このセパレータ１１８では、発電セル１１５に対向する表面の中心に、１個のガス吐出孔１１２が設けられており、その中心のガス吐出孔１１２から燃料極集電体１１６に向けて燃料ガスを吐出することにより、発電セル１１５の外周方向へ燃料ガスを行き渡らせるようになっている。図中の矢印は、燃料ガスの透過する方向を示している。
【０００７】
図７に示したセパレータ１１８では、セパレータ１１８の中心に設けた１個のガス吐出孔１１２から燃料ガスを吐出するようにしているので、次のような問題が発生しやすかった。即ち、セパレータ１１８の中心のガス吐出孔１１２より吐出された燃料ガスは、多孔質クッション材より成る燃料極集電体１１６を通して、発電セル１１５の燃料極層の全域に供給されるはずであるが、実際には、ガス吐出孔１１２の付近での電極反応によって燃料ガスが大幅に消費されることにより、ガス吐出孔１１２から遠ざかるに連れてガス濃度が低下してしまう。そのために、電極全域において発電反応が均一に行われなくなり、図７の下側の図のように、発電セル１１５内で顕著な温度勾配が生じて、その際の熱応力によって発電セル１１５が破壊されたり、非効率的な発電による発電特性の低下（発電量が発電セル１１５の中央部で大きく周辺部で小さくなる）を招いたりする問題が発生しやすかった。この問題は特に燃料極側で顕著である。
【０００８】
それを改善することを狙いとして、図８に示すように、中心位置とその周囲の位置にガス吐出孔１１２を分散して設けたセパレータ１２８が、特許文献１において提案されている。
【０００９】
このセパレータ１２８は、円形の外形を有するもので、燃料極集電体１１６に面する表面の中心に１個のガス吐出孔１１２を有すると共に、その中心のガス吐出孔１１２の周囲に環状に、複数のガス吐出孔１１２を有している。
【００１０】
このセパレータ１２８によれば、中心部およびその周辺部から吐出する燃料ガスを、燃料極集電体１１６を通して発電セル１１５の燃料極層の全面に良好な分布で行き渡らせることができ、それにより、電極層の全面に亘って効率的なガス反応を行わせることができるはずであった。 
【００１１】
【特許文献１】特開２００３−３３１８７１号公報（図２）
【発明の開示】
【発明が解決しようとする課題】
【００１２】
しかしながら、実際にガス流れをシミュレーションした結果、発電セル１１５の中心付近においてガスの逃げ場がなくなることにより、ガスが逆流（矢印Ｙの流れ）を起こし、濃度の濃い燃料ガスが一定の領域で循環してしまう。また、生成した水蒸気が排出されなくなり、その結果、発電セル１１５の外周部のみで発電反応が起きるようになり、発電性能が低下してしまう可能性が高いことが分かった。
【００１３】
本発明は、上記問題に鑑み、発電セル内の電極反応を均一にすることにより発電効率の向上を図った平板型の固体酸化物形燃料電池および固体酸化物形燃料電池用セパレータを提供することを目的としている。 
【課題を解決するための手段】
【００１４】
請求項１に記載の発明は、固体電解質層の両面に燃料極層と酸化剤極層の２つの電極層を配置して発電セルを構成し、前記燃料極層と酸化剤極層の外側にそれぞれ燃料極集電体と酸化剤極集電体を配置し、当該燃料極集電体と酸化剤極集電体の外側にセパレータを配置し、当該セパレータから前記燃料極集電体および酸化剤極集電体を介して前記燃料極層および酸化剤極層に燃料ガスおよび酸化剤ガスを供給する平板型の固体酸化物形燃料電池において、前記セパレータの前記燃料極層および前記酸化剤極層に対向する各面に開口されて、前記燃料極層および酸化剤極層に対してそれぞれ燃料ガスおよび酸化剤ガスを吐出するための燃料ガス吐出孔および酸化剤ガス吐出孔のうち、少なくとも燃料ガス吐出孔が、当該セパレータの燃料極層に対向する面の中心を回避した位置で、且つ、該中心を取り囲む周囲の位置に、周方向に分散して複数設けられていることを特徴としている。
【００１５】
即ち、簡単に言うと、図８の例において、セパレータの中心にあったガス吐出孔を無くして、周囲のガス吐出孔だけにしたことを特徴としている。なお、燃料ガス吐出孔のサイズや個数および配置は、集電体の厚さ（０．２ｍｍ〜１．０ｍｍ）等に応じて適宜決定するのが望ましい。
【００１６】
請求項２に記載の発明は、請求項１に記載の平板型の固体酸化物形燃料電池において、前記酸化剤ガス吐出孔が、当該セパレータの酸化剤極層に対向する面の中心を回避した位置で、且つ、該中心を取り囲む周囲の位置に、周方向に分散して複数設けられていることを特徴としている。
【００１７】
請求項３に記載の発明は、請求項１または２に記載の平板型の固体酸化物形燃料電池において、前記ガス吐出孔が、前記セパレータの電極層に対向する面の中心からセパレータの外周縁までの距離の１／３以内の範囲に設けられていることを特徴としている。
【００１８】
請求項４に記載の発明は、請求項３に記載の平板型の固体酸化物形燃料電池において、前記セパレータの外形が円形である場合に、前記複数のガス吐出孔が、前記セパレータの電極層に対向する面の中心を中心とする同一円周上に周方向に略等間隔に配置されていることを特徴としている。
【００１９】
請求項５に記載の発明は、請求項３に記載の平板型の固体酸化物形燃料電池において、前記セパレータの外形が円形である場合に、前記複数のガス吐出孔が、前記セパレータの電極層に対向する面の中心を中心とする複数の同心円周上にそれぞれ周方向に略等間隔に配置され、隣接する同心円周上のガス吐出孔が、周方向に略同一間隔をおいて交互に配列されていることを特徴としている。
【００２０】
請求項６に記載の発明は、請求項３に記載の平板型の固体酸化物形燃料電池において、前記セパレータの外形が多角形である場合に、前記複数のガス吐出孔が、前記セパレータの電極層に対向する面の中心を図形の中心とする前記外形と略相似の同一多角形の周上に、周方向に略等間隔に配置されていることを特徴としている。
【００２１】
請求項７に記載の発明の固体酸化物形燃料電池用セパレータは、各電極層の外側に配した集電体に接して電極層にガス供給用のガス通路を形成する固体酸化物形燃料電池用セパレータであって、前記電極層に対向する面に開口されて、導入されたガスを電極層へ向けて吐出するためのガス吐出孔が、前記電極層に対向する面の中心を回避した位置で、且つ、該中心を取り囲む周囲の位置に、周方向に分散して複数設けられていることを特徴としている。
【００２２】
請求項８に記載の発明は、請求項７に記載の固体酸化物形燃料電池用セパレータにおいて、前記ガス吐出孔が、前記電極層に対向する面の中心から外周縁までの距離の１／３以内の範囲に設けられていることを特徴としている。
【００２３】
請求項９に記載の発明は、請求項８に記載の固体酸化物形燃料電池用セパレータにおいて、外形が円形をなしており、前記複数のガス吐出孔が、前記電極層に対向する面の中心を中心とする同一円周上に周方向に略等間隔に配置されていることを特徴としている。
【００２４】
請求項１０に記載の発明は、請求項８に記載の固体酸化物形燃料電池用セパレータにおいて、外形が円形である場合に、前記複数のガス吐出孔が、前記電極層に対向する面の中心を中心とする複数の同心円周上にそれぞれ周方向に略等間隔に配置され、隣接する同心円周上のガス吐出孔が、周方向に略同一間隔をおいて交互に配列されていることを特徴としている。
【００２５】
請求項１１に記載の発明は、請求項８に記載の固体酸化物形燃料電池用セパレータにおいて、外形が多角形である場合に、前記複数のガス吐出孔が、前記電極層に対向する面の中心を図形の中心とする前記外形と略相似の同一多角形の周上に、周方向に略等間隔に配置されていることを特徴としている。
【発明の効果】
【００２６】
請求項１、請求項７に記載の発明によれば、セパレータの中心以外の周辺部からガスを輪状に吐出することになるため、中心付近でのガスの逆流現象を無くすことができる。また、発電セルの中心部には、乱流の影響でガスが自由に出入りすることになるため、ガスが常に流れるようになり、水蒸気などが溜まらなくなる。従って、集電体全体にガスを十分に行き渡らせることができ、これにより、電極全域に亘って均一な電極反応を行わせることが可能となり、中央部と周辺部とで発電量の差を無くして、効率的な発電を行うことができるようになる。また、発電セルの全域で均一な電極反応が起こることにより、温度分布の差を小さくすることができ、発電セル１１５の破損の問題を改善することができる。
【００２７】
請求項２に記載の発明によれば、酸化剤ガス吐出孔についても、燃料ガス吐出孔と同様の形態で設けたので、請求項１の発明の効果を補強することができる。
【００２８】
請求項３、請求項８に記載の発明によれば、ガス吐出孔を設ける範囲を、セパレータの中心から外周縁までの距離の１／３以内の範囲に限定したので、最良の発電効率を発揮することができる。
【００２９】
請求項４、請求項５、請求項６、請求項９、請求項１０，請求項１１に記載の発明によれば、セパレータの形状によらず、バランスよくガスを発電セルに向けて吐出することができるので、発電効率の向上を図ることができる。
【発明を実施するための最良の形態】
【００３０】
以下、本発明の実施形態を図面に基づいて説明する。
図１（ａ）は本発明に係る平板型の固体酸化物形燃料電池の要部構成を示す分解斜視図、（ｂ）はその要部分解断面図、図２（ａ）はセパレータの燃料極側の表面構成を示す平面図、（ｂ）は同セパレータと燃料極集電体と発電セルの積層構造を示す模式断面図および温度分布を示す図である。 
【００３１】
まず、図１に基づいて本実施形態に係る固体酸化物形燃料電池の構成を説明する。図１中、符号１は燃料電池スタックを示し、固体電解質層２の両面に燃料極層３と空気極層（酸化剤極層）４を配した発電セル５と、燃料極層３の外側の燃料極集電体６と、空気極層４の外側の空気極集電体（酸化剤極集電体）７と、各集電体６、７の外側のセパレータ８をそれぞれ順番に積層した構造を有する。なお、図１に示す燃料電池スタック１の両端のセパレータ８（８Ａ、８Ｂ）は、燃料極側もしくは空気極側に対応した片側だけの構造を有する。 
【００３２】
ここで、前記固体電解質層２はイットリアを添加した安定化ジルコニア（ＹＳＺ）等で構成され、前記燃料極層３はＮｉ、Ｃｏ等の金属あるいはＮｉ−ＹＳＺ、Ｃｏ−ＹＳＺ等のサーメットで構成され、前記空気極層４はＬａＭｎＯ3、ＬａＣｏＯ3等で構成され、前記燃料極集電体６はＮｉ基合金等のスポンジ状の多孔質焼結金属板で構成され、前記空気極集電体７はＡｇ基合金等のスポンジ状の多孔質焼結金属板で構成されている。 
【００３３】
セパレータ８は、従来型と同様に発電セル５間を電気接続すると共に、発電セル５に対してガスを供給する機能を有するものであるが、その構造は図７に示した従来型と相違している。 
【００３４】
即ち、本実施形態のセパレータ８は、図２（ａ）、（ｂ）に示すように、セパレータ８の燃料極層３に対向する表面に開口されて、燃料極集電体６を介して燃料極層３に対して燃料ガスを吐出するための燃料ガス吐出孔１２が、セパレータ８の燃料極層３に対向する面の中心Ｏを回避した位置で、且つ、該中心Ｏを取り囲む周囲の位置に、周方向に分散して複数設けられている。
【００３５】
特に、これらのガス吐出孔１２は、セパレータの中心Ｏからセパレータ８の外周縁までの距離（半径）の１／３以内の範囲に設けられている。この実施形態の場合、セパレータ８の外形が円形であるから、複数のガス吐出孔１２は、セパレータの中心Ｏを中心とする同一円周２０上に、周方向に略等間隔に配置されている。但し、発電セル５、燃料極集電体６、酸化剤極集電体７、およびセパレータ８は、略同一サイズで略同一外形を有するものとして構成されている。セパレータ８内には、燃料ガスの供給路１０が設けられており、その供給路１０は、セパレータ８の外周面に開口した通路１１を介して、図示しない燃料ガスマニホールドに接続されている。
【００３６】
このように、セパレータ８の中心のガス吐出孔を無くして、その周囲にのみ環状に複数のガス吐出孔１２を設けた場合は、セパレータ８の中心Ｏ以外の周辺部からガスを輪状に吐出することになるため、従来において起こす可能性のあった、中心Ｏ付近でのガスの逆流現象を無くすことができる。また、発電セル５の中心部には、乱流の影響でガスが自由に出入りすることになるため、ガスが常に流れるようになり、水蒸気などが溜まらなくなる。従って、集電体６全体にガスを十分に行き渡らせることができ、これにより、発電セル５の全域に亘って均一な電極反応を行わせることが可能となり、中央部と周辺部とで発電量の差を無くして、効率的な発電を行うことができるようになる。また、発電セル５の全域で均一な電極反応が起こることにより、温度分布の差を小さくすることができ、発電セル５の破損の問題を改善することができる。特に、ガス吐出孔１２を設ける範囲を、セパレータ８の中心から外周縁までの距離の１／３以内の範囲に限定することによって、最良の発電効率を発揮することができる。
【００３７】
ここで、セパレータの半径の距離を１としたときの、セパレータの中心Ｏからガス吐出孔１２までの距離に対する出力密度を図３に示した。ガス突出孔１２がセパレータの中心Ｏに設けられた場合、およびセパレータの中心Ｏから外周縁まで、すなわち半径に対して０．３の距離の位置に設けられた場合には、それぞれ２８０ｍＷ／ｃｍ2の出力密度が得られる。これに対して、ガス吐出孔１２が半径に対して０．５の距離に設けられた場合には、２５０ｍＷ／ｃｍ2同０．７の距離に設けられた場合には、１８０ｍＷ／ｃｍ2まで出力密度が低下している。このことから、ガス吐出孔１２を設ける範囲を、セパレータの中心から外周縁までの距離の１／３、好ましくは０．３以内に設定する。
【００３８】
図４〜図６はセパレータの形状や燃料ガス吐出孔１２の配置のバリエーションを示す図である。
図４に示すセパレータ８は、外形が円形であり、複数のガス吐出孔１２が、セパレータ８の中心Ｏを中心とする複数の同心円周２１、２２上にそれぞれ周方向に略等間隔に配置され、隣接する同心円周２１、２２上のガス吐出孔１２が、周方向に略同一間隔をおいて交互に配列されている。
【００３９】
図５に示すセパレータ１８は、外形が六角形であり、複数のガス吐出孔１２が、セパレータの中心Ｏを図形の中心とする外形と相似の同一六角形の周２３上に、周方向に略等間隔に配置されている。
【００４０】
図６に示すセパレータ２８は、外形が四角形であり、複数のガス吐出孔１２が、セパレータの中心Ｏを図形の中心とする外形と相似の同一四角形の周２４上に、周方向に略等間隔に配置されている。
【００４１】
このように、前述した領域（中心Ｏから外周縁までの距離の１／３以内の範囲）に分散してガス吐出孔１２を設けることによって、バランスよくガスを発電セルに向けて吐出することができるので、発電効率の向上を図ることができる。
【００４２】
なお、ガス吐出孔１２のサイズや個数および配置は、集電体の厚さ（０．２ｍｍ〜１．０ｍｍ）等に応じて適宜決定するのが望ましい。
【００４３】
また、上記においては、燃料ガス吐出孔１２について説明したが、酸化剤ガス吐出孔についても、燃料ガス吐出孔１２と同様に配置することにより、上記の効果を更に向上させることができる。
【００４４】
また、上記実施形態では、発電セルの電解質にイットリアを添加した安定化ジルコニア（ＹＳＺ）を用いる固体酸化物形燃料電池を示したが、本発明は、その他の固体酸化物形燃料電池、例えばセリア系電解質、ガレート型電解質を用いる固体酸化物形燃料電池にも適用することができる。 
【図面の簡単な説明】
【００４５】
【図１】（ａ）は本発明の実施形態の固体酸化物形燃料電池の要部構成を示す分解斜視図、（ｂ）は要部構成を示す断面図である。
【図２】（ａ）はセパレータの燃料極側の表面構成を示す平面図、（ｂ）は同セパレータと燃料極集電体と発電セルの積層構造を示す模式断面図および温度分布を示す図である。
【図３】セパレータの中心Ｏからガス吐出孔１２までの距離に対する出力密度のグラフである。
【図４】他のセパレータのガス吐出孔のレイアウトを示す平面図である。
【図５】更に他のセパレータのガス吐出孔のレイアウトを示す平面図である。
【図６】更に他のセパレータのガス吐出孔のレイアウトを示す平面図である。
【図７】従来例の説明図で、一般的によく利用されている構成のセパレータと集電体と発電セルの積層構造と発電セルの温度分布を示す図である。
【図８】別の従来例の説明図で、（ａ）はセパレータの燃料極側の表面構成を示す平面図、（ｂ）は同セパレータと燃料極集電体と発電セルの積層構造を示す模式断面図および温度分布を示す図である。
【符号の説明】
【００４６】
２  固体電解質層
３  燃料極層
４  酸化剤極層（空気極層）
６  燃料極集電体
７  酸化剤極集電体（空気極集電体）
８，１８，２８  セパレータ
１２  ガス吐出孔
２０，２１，２２  円周
２３  六角形の周（多角形の周）
２４  四角形の周（多角形の周）
Ｏ  セパレータの中心
【図１】
2009245626.tif 000003
【図２】
2009245626.tif 000004
【図３】
2009245626.tif 000005
【図４】
2009245626.tif 000006
【図５】
2009245626.tif 000007
【図６】
2009245626.tif 000008
【図７】
2009245626.tif 000009
【図８】
2009245626.tif 000010